(57)【要約】      （修正有）【課題】ギター等において、弾性変形できる嵌合構造により、ある程度孔径が異なるサウンドホールでも取り付け可能となるサウンドホールカバーを提供する。【解決手段】カバー本体２の外周部に間隔を空けて設けた複数の突状部４をギターのサウンドホールの周縁に嵌合させる。カバー本体２および突状部４を弾性変形させてサウンドホールに取り付ける。ギターの演奏音の残響を抑制でき、ハウリング現象の発生を低減させ、よりギターの弦音のみを増幅できる。製造メーカやタイプによってサウンドホールの大きさが異なるギター毎にサウンドホールカバー１を準備する必要がない。汎用性を高くでき、利用者の使い勝手を向上できる。【選択図】図１
0003175504.tif 000002
【実用新案登録請求の範囲】
【請求項１】
略円形状のサウンドホールを有するギターの前記サウンドホールに着脱可能に取り付けられる弾性変形可能なサウンドホールカバーであって、
前記サウンドホールに略等しい略円盤状のカバー本体と、
このカバー本体の外周部に間隔を空けて設けられ、このカバー本体を前記サウンドホールに取り付けた際に、このサウンドホールの周縁に嵌合可能な複数の突状部と、
を有することを特徴とするサウンドホールカバー。
【請求項２】
略円形状のサウンドホールを有するギターの前記サウンドホールに着脱可能に取り付けられる弾性変形可能なサウンドホールカバーであって、
前記サウンドホールに略等しい略円盤状のカバー本体と、
このカバー本体の外周部に設けられ、このカバー本体を前記サウンドホールに取り付けた際に、このサウンドホールの周縁に嵌合可能な複数の突状部と、
この突状部の外周部に設けられ、前記カバー本体を前記サウンドホールに取り付けた際に、このサウンドホールの内側開口縁に抜け止め保持される係止片部と、
を有することを特徴とするサウンドホールカバー。
【請求項３】
略円形状のサウンドホールを有するギターの前記サウンドホールに着脱可能に取り付けられる弾性変形可能なサウンドホールカバーであって、
前記サウンドホールに略等しい略円盤状のカバー本体と、
このカバー本体の外周部に設けられ、このカバー本体を前記サウンドホールに取り付けた際に、このサウンドホールの周縁に嵌合可能な複数の突状部と、
これら複数の各突状部と前記カバー本体との間に、このカバー本体の周方向に沿って設けられた断面略凹状の凹溝部と、
を有することを特徴とするサウンドホールカバー。
【請求項４】
請求項１ないし３いずれか１項に記載のサウンドホールカバーにおいて、
前記突状部の外径寸法に略等しい内径寸法を有する円環状の外形壁部、およびこの外形壁部の内周側の縁部に設けられ前記カバー本体と突状部との間の凹部に係止可能な係止凸部を有する環状アダプタを備えた
ことを特徴とするサウンドホールカバー。
【考案の詳細な説明】
【技術分野】
【０００１】
本考案は、例えばアコースティックギター等のサウンドホールに取り付けられるサウンドホールカバーに関する。
【背景技術】
【０００２】
従来、この種のサウンドホールカバーとしては、例えば下記特許文献１に記載の構成の音量低減サウンドホールカバーが知られている。このサウンドホールカバーは、ギターのサウンドホールに装着することによって、演奏時のギターのギター本体の振動を抑制して、演奏音の残響を抑え、増幅時のハウリングの発生を低減させている。
【先行技術文献】
【特許文献】
【０００３】
【特許文献１】特開２００８−２０９８７１号公報
【考案の概要】
【考案が解決しようとする課題】
【０００４】
しかしながら、上記特許文献１にかかる従来技術によれば、ギターの種類によってサウンドホールや指板の形状が単一ではないため、ギターの種類に合わせて、大きさの異なる複数種類を制作しなければならない。このため、演奏音を増幅させた際のハウリングの発生を防止させたギターに対応したサウンドホールカバーを、各ギター毎に用意しなければならず、使い勝手が良くないという問題を有している。
【０００５】
そこで本考案は、従来技術における上記問題を解決し、使い勝手の良いサウンドホールカバーを提供することを目的とする。
【課題を解決するための手段】
【０００６】
この課題を解決するため、請求項１にかかる本考案は、略円形状のサウンドホールを有するギターの前記サウンドホールに着脱可能に取り付けられる弾性変形可能なサウンドホールカバーであって、前記サウンドホールに略等しい略円盤状のカバー本体と、このカバー本体の外周部に間隔を空けて設けられ、このカバー本体を前記サウンドホールに取り付けた際に、このサウンドホールの周縁に嵌合可能な複数の突状部と、を有することを特徴とするサウンドホールカバーである。
【０００７】
そして、このように構成したことにより、ギターのサウンドホールにカバー本体を取り付けた際に、このカバー本体の外周部に間隔を空けて設けた複数の突状部がサウンドホールの周縁に嵌合する。よって、これらカバー本体および突状部のそれぞれを必要に応じ弾性変形させることによって、ある程度大きさの異なるサウンドホールであっても、サウンドホールカバーを取り付けることができ、演奏音の残響を抑えることができるから、利用者の使い勝手を向上することができる。
【０００８】
請求項２は、略円形状のサウンドホールを有するギターの前記サウンドホールに着脱可能に取り付けられる弾性変形可能なサウンドホールカバーであって、前記サウンドホールに略等しい略円盤状のカバー本体と、このカバー本体の外周部に設けられ、このカバー本体を前記サウンドホールに取り付けた際に、このサウンドホールの周縁に嵌合可能な複数の突状部と、この突状部の外周部に設けられ、前記カバー本体を前記サウンドホールに取り付けた際に、このサウンドホールの内側開口縁に抜け止め保持される係止片部と、を有することを特徴とするサウンドホールカバーである。
【０００９】
そして、このように構成したことにより、ギターのサウンドホールにカバー本体を取り付けた際に、このカバー本体の外周部に設けた突状部がサウンドホールの周縁に嵌合するとともに、この突状部の外周部に設けた係止片部がサウンドホールの内側開口縁に抜け止め保持される。よって、これらカバー本体、突状部および係止片部のそれぞれを必要に応じ弾性変形させることにより、ある程度大きさの異なるサウンドホールであっても、サウンドホールカバーを取り付けることができ、演奏音の残響を抑えることができるとともに、サウンドホールに抜け止め保持させてサウンドホールカバーを取り付けることができるから、利用者の使い勝手を向上することができる。
【００１０】
請求項３は、略円形状のサウンドホールを有するギターの前記サウンドホールに着脱可能に取り付けられる弾性変形可能なサウンドホールカバーであって、前記サウンドホールに略等しい略円盤状のカバー本体と、このカバー本体の外周部に設けられ、このカバー本体を前記サウンドホールに取り付けた際に、このサウンドホールの周縁に嵌合可能な複数の突状部と、これら複数の各突状部と前記カバー本体との間に、このカバー本体の周方向に沿って設けられた断面略凹状の凹溝部と、を有することを特徴とするサウンドホールカバーである。
【００１１】
そして、このように構成したことにより、カバー本体の外周部に設けられた各突状部をサウンドホールの周縁に嵌合させて、ギターのサウンドホールにカバー本体を取り付ける際に、これら各突状部とカバー本体との間に設けられた断面略凹状の凹溝部によって各突状部の弾性変形量を大きくでき、これら各突状部をより確実にサウンドホールの周縁に嵌合させることができる。よって、ある程度大きさの異なるサウンドホールであっても、サウンドホールカバーを確実に取り付けることができ、演奏音の残響を抑えることができるから、利用者の使い勝手を向上することができる。
【００１２】
請求項４は、請求項１ないし３のいずれか１項において、前記突状部の外径寸法に略等しい内径寸法を有する円環状の外形壁部、およびこの外形壁部の内周側の縁部に設けられ前記カバー本体と突状部との間の凹部に係止可能な係止凸部を有する環状アダプタを備えた、ことを特徴とするサウンドホールカバーである。
【００１３】
そして、このように構成したことにより、カバー本体と突状部との間の凹部に環状アダプタの係止凸部を係止させることによって、この環状アダプタの外形壁部によって突状部の外周が覆われる。したがって、サウンドホールカバーの突状部を嵌合させることができない、特別大きなサウンドホールであっても、環状アダプタを用いてサウンドホールカバー取り付けることができるから、利用者の使い勝手をより向上することができる。
【考案の効果】
【００１４】
本考案によれば、ギターのサウンドホールにカバー本体を取り付ける際に、このカバー本体や突状部を弾性変形させてサウンドホールの周縁に突状部を嵌合させることができる。よって、ある程度大きさの異なるサウンドホールであっても、サウンドホールカバーを取り付けることができ、演奏音の残響を抑えることができるから、利用者の使い勝手を向上することができる。
【図面の簡単な説明】
【００１５】
【図１】本考案の一実施形態のサウンドホールカバーを示す図で、（ａ）は底面図、（ｂ）はその左側面図、（ｃ）はその下面図である。
【図２】上記サウンドホールカバーの平面図である。
【図３】図１（ａ）のＡ−Ａ断面図で、（ａ）はその拡大断面図、（ｂ）その部分斜視図である。
【図４】上記サウンドホールカバーに環状アダプタを取り付けた状態を示す説明斜視図である。
【図５】上記サウンドホールカバーが取り付けられるギターを示す斜視図である。
【考案を実施するための形態】
【００１６】
本考案の一実施形態のサウンドホールカバーについて図１ないし図５を参照して説明する。
【００１７】
＜全体構成＞
このサウンドホールカバー１は、図５に示すギターＡのサウンドホールＢに取り付けられており、このギターＡの演奏音の残響の流出を抑制させ、例えば集音用のマイクロフォンＣ等を介して増幅させた際に発生するハウリング現象を低減させるための残響防止具である。具体的に、このギターＡは、例えばアコースティック等のクラッシックギターであって、弦Ｄから発生する振動音を共鳴させるための空洞状のギター本体としてのボディ部Ｅを備えている。そして、このボディ部Ｅの一側面の幅方向の中心に円形状の残響出口としての孔部であるサウンドホールＢが開口されている。このサウンドホールＢは、ボディ部Ｅでの共鳴を増幅させて反響させるものであって、このボディ部Ｅの長手方向の先端寄りの位置に設けられている。
【００１８】
さらに、ボディ部Ｅには、細長状の弦柱であるネック部Ｆが取り付けられている。具体的に、このネック部Ｆは、ボディ部Ｅの一側面に、このボディ部ＥのサウンドホールＢの先端寄りの縁部から先端側に向けて取り付けられている。さらに、このネック部Ｆの先端部にヘッド部Ｇが設けられており、このヘッド部Ｇには、チューニングペグＨが、複数、例えば６個ほど設けられている。
【００１９】
また、ボディ部Ｅの一側面には、ブリッジＩが取り付けられている。このブリッジＩは、サウンドホールＢの長手方向の基端側の縁部に取り付けられている。また、このブリッジＩには、各弦Ｄの一端部を固定するための弦端固定具Ｊが取り付けられている。そして、これら各弦端固定部Ｊに一端部が固定された各弦Ｄは、サウンドホールＢおよびネック部Ｆ上へ張られ、これら弦Ｄの他端部がチューニングペグＨに張力調整可能に取り付けられて固定されている。
【００２０】
＜サウンドホールカバー＞
一方、サウンドホールカバー１は、例えば合成ゴム・シリコンゴムやエラストマ等の弾性変形可能な素材にて形成されており、図１ないし図３に示すように、円盤状のカバー本体２を備えている。このカバー本体２は、ギターＡのサウンドホールＢの内径寸法に略等しい外径寸法を有する円盤状に形成されており、このサウンドホールＢが開口されているボディ部Ｅの一側面の厚さ寸法より大きな厚さ寸法に形成されている。
【００２１】
＜全体形状＞
そして、カバー本体２の厚さ方向の一側縁である表面側の端部には、図２に示すように、一部が切り欠かれた円弧状の外周片部３が設けられている。この外周片部３は、一部が切り欠かれた平面状に形成されており、カバー本体２の外径寸法に等しい内径寸法に形成されている。そして、この外周片部３の切り欠かれた部分である開口片部３ａは、ギターＡのネック部Ｆの基端側の幅寸法より若干大きな幅寸法に形成されている。すなわち、この開口片部３ａは、カバー本体２をギターＡのサウンドホールＢに嵌合させる際に、このギターＡのネック部Ｆの基端部に嵌合され、このサウンドホールＢの開口縁に外周片部３を周方向に亘って平行に係止可能とさせるものである。
【００２２】
＜表面形状＞
さらに、カバー本体２の表面には、図２、図３（ａ）および図３（ｂ）に示すように、このカバー本体２を補強するための円環状の補強片部３ｂ，３ｃが、このカバー本体２の同心状に２重に設けられている。また、このカバー本体２の表面側の中央部には、断面凹状の平坦面部３ｄが、このカバー本体２の同心状に設けられている。すなわち、この平坦面部３ｄは、カバー本体２の表面側の中央部を肉薄状にするための平坦状の凹部であり、この平坦面部３ｄの表面が外周片部３の表面より低くなるように構成されている。
【００２３】
＜裏面形状＞
さらに、カバー本体３の厚さ方向の他側である裏面側には、このカバー本体３をギターＡのサウンドホールＢに嵌合させた際に、このサウンドホールＢの内縁に嵌合させて係止させるための抜け止め部となる突状部４が設けられている。この突状部４は、図１（ａ）に示すように、カバー本体２の周方向に亘って等間隔に離間させた状態で、複数、例えば８個ほど設けられている。また、この突状部４は、この突状部４の両側面が、約３０°の角度を成すように形成されている。さらに、これら突状部４は、これら突状部４のうちのいずれか２つの突状部４間の中心位置が開口片部３ａの中心位置となるように設けられている。
【００２４】
具体的に、これら各突状部４は、図３（ａ）および（ｂ）に示すように、カバー本体２の裏面に設けられ、このカバー本体２の厚さ方向に突出した本体凸部４ａを備えている。そして、この本体凸部４ａは、先端部が断面円弧状に形成されており、カバー本体２の軸方向に沿って突出する形状とされている。さらに、この本体凸部４ａの先端部の外側には、例えば６０°等の所定の角度で傾斜した傾斜面部４ｂが設けられている。この傾斜面部４ｂは、本体凸部４ａをギターＡのサウンドホールＢに嵌合させる際の案内面として設けられており、このサウンドホールＢへの取り付けを容易にさせるものである。
【００２５】
また、本体凸部４ａの外周側には、カバー本体２をギターＡのサウンドホールＢに嵌合させた際に、このサウンドホールＢの内側開口縁に係止させて抜け止め保持させるための係止片部４ｃが設けられている。この係止片部４ｃは、図３（ａ）に示すように、本体凸部４ａの外周部の高さ方向の中間位置に、カバー本体２の径方向に向けて突出した形状とされている。この結果、この係止片部４ｃと外周片部３との間には、本体凸部４ａの外周面に沿った断面略凹弧状である凹溝状の係止凹部４ｄが設けられている。
【００２６】
一方、各突状部４の内周縁には、図３（ａ）および（ｂ）に示すように、カバー本体２の周方向に沿った円環状である断面略凹状の凹溝部４ｅが設けられている。この凹溝部４ｅは、図１（ａ）に示すように、各突状部４とカバー本体２との間の位置に、このカバー本体２の周方向に沿って設けられ、このカバー本体２の同心状に形成されている。また、この凹溝部４ｅは、図３（ａ）に示すように、この凹溝部４ｅの底面部が、係止凹部４ｄの上側部、すなわち係止片部４ｃの下側面に略平行とさせる深さ寸法に形成されている。すなわち、この凹溝部４ｅは、ギターＡのサウンドホールＢに各係止片部４ｃを係止させて抜け止め保持させる際に、これら係止片部４ｃが設けられた各本体凸部４ａの弾性変形を容易にさせるための弾性変形促進部として設けられている。ここで、カバー本体２の裏面は、図３（ａ）に示すように、係止片部４ｃの幅寸法の中間位置となる高さ寸法に形成されている。
【００２７】
さらに、カバー本体２の裏面側の突出部４が設けられていない部分には、凹溝部４ｅの外周縁が最も突出したテーパ面部５がそれぞれ設けられている。これらテーパ面部５は、カバー本体２の裏面に、このカバー本体２の周方向に向けて等間隔に複数、例えば８個ほど設けられている。ここで、これらテーパ面部５は、これら各テーパ面部５の周方向の両側面が平行となるように形成されている。具体的に、これらテーパ面部５は、図１および図３に示すように、各突状部４の間のそれぞれに設けられており、これら各突出部４の本体凸部４ａの外周側の縁部から凹溝部４ｅの外周縁までに亘ってテーパ状に傾斜して設けられている。
【００２８】
＜環状アダプタ＞
一方、サウンドホールカバー１の突状部４を嵌合させることができない、特別大きなサウンドホールＢに取り付ける場合には、図４に示すように、補助部品として環状アダプタ６を用いる。この環状アダプタ６は、サウンドホールカバー１と同様に、例えば合成ゴム・シリコンゴムやエラストマ等の弾性変形可能な素材にて形成された着脱可能なホールアダプタである。そして、この環状アダプタ６は、サウンドホールカバー１の係止片部４ｃの外径寸法に略等しい内径寸法を有する円環状のアダプタ本体としての外形壁部６ａを備えている。この外形壁部６ａは、所定の径寸法、すなわち厚さ寸法に形成されている。そして、この外形壁部６ａの中心軸方向の一端部は、この外形壁部６ａの径方向に沿った水平な上部平坦部６ｂが形成されている。また、この外形壁部６ａの中心軸方向の他端部の外周側には、環状アダプタ６のサウンドホールＢへの嵌合を案内させるための先細状に傾斜したテーパ状の傾斜面部６ｃが設けられている。
【００２９】
さらに、外形壁部６ａの一端部の内周側には、サウンドホールカバー１の外周片部３と係止片部４ｃとの間の係止凹部４ｄに取り外し可能に係止可能な係止凸部６ｄが設けられている。この係止凸部６ｄは、図４に示すように、サウンドホールカバー１の係止凹部４ｄに対応した径方向断面略半円状に形成されている。すなわち、この係止凸部６ｄは、サウンドホールカバー１の突状部４の先端部から係止凹部４ｄの基端部までに亘る水平方向に沿った大きさに等しい高さ寸法に形成されている。また、この係止凸部６ｄは、サウンドホールカバー１の外周片部３の裏面から突状部４の外周片部３側の基端部までに亘る厚さ方向に沿った大きさに等しい幅寸法に形成されている。
【００３０】
＜製造方法＞
次に、上記一実施形態のサウンドホールカバー１の製造方法について説明する。
【００３１】
まず、サウンドホールカバー１を成型可能な金型（図示せず）を予め用意し、この金型内にゴム系や樹脂系のエラストマ等の的確な温度に加温されて溶けた状態の材料を流し込んでいく。このとき、このサウンドホールカバー１を成型するための金型としては、上下型のほか、水平方向にスライド移動させる型等であってもよい。
【００３２】
ここで、目的とする製品となるサウンドホールカバー１の外周に、金型彫り込み部分以上の分量の流れ出し部を金型に形成しておき、このサウンドホールカバー１の外周縁に薄板状の膜状部（図示せず）を形成させ、硬化後に、この膜状部を引っ張る等して取り除くことによってサウンドホールカバー１を成型するフィルムゲート方式の成型方法とすることもできる。
【００３３】
すなわち、金型から取り出したサウンドホールカバー１の成形品については、重ねてもよく、自然冷却された後に、製品となる部分から突き出ている膜状部を引っ張ってもぎ取る等して取り外すことによって、外周縁から薄いあふれた部分や傷等ないサウンドホールカバー１を製造することができる。また、環状アダプタ６については、上記サウンドホールカバー１の同様の製造方法を用いて製造することができる。
【００３４】
次に、上記一実施形態のサウンドホールカバー１の作用効果について説明する。
【００３５】
＜取り付け方法＞
まず、演奏音の残響を抑え、いわゆるハウリング現象の発生を低減させたいギターＡがある場合に、このギターＡのサウンドホールＢにサウンドホールカバー１を取り付ける。
【００３６】
具体的には、このサウンドホールカバー１の開口片部３ａ側を、ギターＡのネック部Ｆ側に向けた状態とする。この状態で、サウンドホールカバー１をギターＡのサウンドホールＢの側方から滑り込ませる等してから、このサウンドホールＢにサウンドホールカバー１を押し込んで、このサウンドホールカバー１の開口片部３ａをギターＡのネック部Ｆの基端側に嵌合させる。まだ同時に、このサウンドホールカバー１の各突状部４を必要に応じ弾性変形させる等して、このサウンドホールカバー１のカバー本体２をギターＡのサウンドホールＢに嵌合させて閉塞させる。
【００３７】
このとき、このサウンドホールカバー１の各突状部４の傾斜面部４ｂおよび各テーパ面部５の傾斜によって、このサウンドホールカバー１のカバー本体２のギターＡのサウンドホールＢへの位置合わせが案内される。また同時に、このサウンドホールカバー１の各凹溝部４ｅおよび係止凹部４ｄのそれぞれによって各突状部４の本体凸部４ａが容易に弾性変形されて、このサウンドホールカバー１の各突状部４をサウンドホールＢに嵌合させることができる。
【００３８】
そして、このサウンドホールカバー１をギターＡのサウンドホールＢに嵌合させた状態においては、このサウンドホールカバー１の外周片部３の内側面がサウンドホールＢの外側の開口縁に設置される。このとき、このサウンドホールカバー１の各突状部４の係止凹部４ｄに、ギターＡのサウンドホールＢの内周縁が嵌合し、これら各突状部４の係止片部４ｃがサウンドホールＢの内側の開口縁に係止されて抜け止め保持された状態となる。
【００３９】
この後、このギターＡの所定の弦Ｄを弾くことによって、この弦Ｄから発する操作音を、マイクロフォンＣ等を介してアンプ（図示せず）で増幅して、スピーカ（図示せず）から出力させることにより、このギターＡの演奏音の残響を抑えハウリング現象の発生を抑制しつつ、増幅させることができる。
【００４０】
なお、サウンドホールカバー１の突状部４を嵌合させることができない、特別大きなサウンドホールＢを有するギターＡの場合においては、このサウンドホールカバー１の係止凹部４ｄの周方向に沿って環状アダプタ６の係止凸部６ｄを嵌合させて、このサウンドホールカバー１の突状部３の外形寸法を大きくさせてからギターＡのサウンドホールＢに嵌合させて取り付ける。
【００４１】
＜作用効果＞
一般に、アコースティックギターは、製造メーカやタイプ毎に、ギターＡのサウンドホールＢの孔径が異なり、製造メーカやタイプの特徴となっている。上述した特許文献１のように、従来においては、特定の製造メーカのギターにのみ取り付けることができるサウンドホールカバーは存在しているものの、汎用性のあるものは皆無であった。このため、サウンドホールカバーを利用したい者は、その特定の製造メーカのギターを用いなければならなかった。
【００４２】
また、従来のサウンドホールカバーは、ギターＡのサウンドホールＢに確実に嵌合させることを目的として、比較的厚く形成されており、弦Ｄの側方から弦Ｄとボディ部Ｅとの間に押し入れる必要があり、取り付けが容易ではなかった。
【００４３】
そこで、上記一実施形態のサウンドホールカバー１のように、ギターＡのサウンドホールＢに、サウンドホールカバー１のカバー本体２を取り付ける際に、このカバー本体２の外周部に間隔を空けて設けられた複数の突状部４がサウンドホールＢの周縁に嵌合する構成とした。
【００４４】
この結果、このサウンドホールカバー１を例えばゴムやエラストマ等の弾性変形可能な材料で形成する。さらに、これらカバー本体２および突状部４のそれぞれを必要に応じ弾性変形させることによって、ある程度大きさ、すなわち孔径の異なるサウンドホールＢを有するギターＡであっても、これらギターＡのサウンドホールＢにサウンドホールカバー１を取り付けることができる。よって、このサウンドホールカバー１の各突状部４をサウンドホールＢに嵌合でき、このギターＡの演奏音の残響を抑制することができる。
【００４５】
したがって、演奏音の音量を上げ、演奏音に残響が生じ、高音がマイクロフォンＣとスピーカにて増幅されて生じるハウリング現象の発生を低減させ、よりギターＡの弦音のみを増幅でき、演奏する音楽の特徴に合わせた演奏が可能となる。よって、このハウリング現象の発生に伴う演奏者や顧客に対する不愉快感を与えることを少なくできる。また同時に、製造メーカやタイプによってサウンドホールＢの大きさが異なるギターＡ毎にサウンドホールカバー１を準備する必要をなくすことができ、汎用性あるサウンドホールカバー１を拵えることにより、利用者の使い勝手を向上することができる。
【００４６】
また、ギターＡのサウンドホールＢにサウンドホールカバー１のカバー本体２を取り付けた際においては、このサウンドホールカバー１の各突状部４の係止凹部４ｄにサウンドホールＢの内周縁が嵌合され、かつこれら各突状部４の係止片部４ｃにてサウンドホールＢの内側の開口縁が係止されて抜け止め保持される。したがって、これらカバー本体２、突状部４および係止片部４ｃのそれぞれを必要に応じ弾性変形させることによって、大きさの異なるサウンドホールＢにサウンドホールカバー１を取り付けることができ、ギターＡの演奏音の残響を抑制できるとともに、サウンドホールＢにサウンドホールカバー１を抜け止め保持させて取り付けることができる。
【００４７】
さらに、サウンドホールカバー１の裏面側の各突状部４とカバー本体２との間に凹溝部４ｅを形成したことにより、突状部４の弾性変形量をより大きくできる。したがって、これら突状部４をより確実にサウンドホールＢの周縁に嵌合できるとともに、より大きさの異なるサウンドホールＢであっても、サウンドホールカバー１を確実に取り付けることができる。
【００４８】
また、比較的薄いサウンドホールカバー１であるため、ギターＡの弦Ｄの側方から滑らかに抵抗なく差し込んでサウンドホールＢに取り付けることができ、目的の演奏を迅速に行うことができる。また同時に、演奏時の指先の抵抗感を少なくでき、軽さと堅牢性を有し、カバン等に入れて容易に持ち歩くことができる。なお、２つに折り曲げることにより、衣類のポケット等に入れることができる。よって、ギター愛好家のストレスを解消することができ、サウンドホールカバー１を取り付けることにより安心した演奏が可能となる。
【００４９】
さらに、金型を用いてサウンドホールカバー１を製造することにより、より安価に大量に製造できるから、様々な利用者の愛好に適合させることができ、この種のサウンドホールカバー１の需要を増大させることができる。
【００５０】
特に、非移行性材料を用いて合成ゴムやシリコンゴムでサウンドホールカバー１を製造することにより、一般にラッカ塗装である木製のギターＡであっても、このサウンドホールカバー１からギターＡのサウンドホールＢの開口縁への素材分子移行を無くすことができ、毒性もなく、環境に何ら影響がない。
【００５１】
また、サウンドホールカバー１の突状部４を嵌合させることができない、特別大きなサウンドホールＢを有するギターＡの場合においても、図４に示すように、このサウンドホールカバー１の係止凹部４ｄの周方向に沿って環状アダプタ６の係止凸部６ｄを嵌合させる。この結果、このサウンドホールカバー１の突状部４が環状アダプタ６の外形壁部６ａに覆われた状態となり、この環状アダプタ６の外形壁部６ａの外径寸法ほど、サウンドホールカバー１の突状部４の外径寸法を大きくできる。よって、この環状アダプタ６を取り付けた状態で、サウンドホールカバー１をギターＡのサウンドホールＢに嵌合させて、環状アダプタ６の外形壁部６ａを弾性変形等させサウンドホールＢの開口縁に密封させて抜け止め保持させる。以上から、より大きなサンドホールＢを有するギターＡであっても、環状アダプタ６を用いてサウンドホールカバー１を取り付けることができ、残響の流出を防止できるため、利用者の使い勝手をより向上させることができる。
【００５２】
＜その他＞
なお、上記一実施形態では、サウンドホールカバー１の各突状部４の大きさを等しくし、これら突状部４をカバー本体２の裏面に８個ほど形成したが、こられ突状部４の個数や大きさ、形状については特に制限されず、演奏音の残響を抑制できる構成であればよい。
【００５３】
また、サウンドホールカバー１の各突状部４の外周部の径方向の中間部等に、これら突状部４の外周部より径方向に突出する突出片部（図示せず）をそれぞれ設けて、より内径寸法の大きなサウンドホールＢにも取り付けることができるサウンドホールカバー１にすることができる。
【００５４】
さらに、環状アダプタ６の外形壁部６ａの径方向の厚さ寸法を適宜調整することによって、様々な外径寸法のサウンドホールＢを有するギターＡであっても、本考案のウインドホールカバー１を取り付けることができ、ギターＡの演奏音の残響を抑制することができる。
【符号の説明】
【００５５】
１      サウンドホールカバー
２      カバー本体
３      外周片部
３ａ    開口片部
３ｂ，３ｃ  補強片部
３ｄ    平坦面部
４      突状部
４ａ    本体凸部
４ｂ    傾斜面部
４ｃ    係止片部
４ｄ    係止凹部（凹部）
４ｅ    凹溝部
５      テーパ面部
６      環状アダプタ
６ａ    外形壁部
６ｂ    上部平坦部
６ｃ    傾斜面部
６ｄ    係止凸部
Ａ      ギター
Ｂ      サウンドホール
Ｃ      マイクロフォン
Ｄ      弦
Ｅ      ボディ部（ギター本体）
Ｆ      ネック部
Ｇ      ヘッド部
Ｈ      チューニングペグ
Ｉ      ブリッジ
Ｊ      弦端固定具
【図１】
0003175504.tif 000003
【図２】
0003175504.tif 000004
【図３】
0003175504.tif 000005
【図４】
0003175504.tif 000006
【図５】
0003175504.tif 000007